(57)【要約】【課題】本発明は、１個のみの共用ストッパーを用いて槌の球発射及び球発射待機時の停止を行い、構成を簡略化することを目的とする。【解決手段】本発明によるパチンコ発射機構造は、取付板(1)の槌(3)の下方位置に、第１、第２ストッパー部(5,4)を有する１個のみの共用ストッパー(20)を設け、槌(3)の球発射時および球発射待機時における停止を行う構成である。【選択図】図１
2008048873.tif 000002
【特許請求の範囲】
【請求項１】
取付板(1)に回動自在に設けられた槌(3)と、前記槌(3)の下端に延設された延長部(3A)と、前記槌(3)の下方位置に設けられた１個のみの共用ストッパー(20)と、前記槌(3)の上方位置に設けられパチンコ球(7)を案内するための球発射レール(6)と、を備え、
前記槌(3)により前記パチンコ球(7)を発射した時には前記延長部(3A)が前記共用ストッパー(20)に当接し、前記発射後、前記槌(3)が逆方向に回動した時には前記槌(3)の後面(3a)が前記共用ストッパー(20)に当接することを特徴とするパチンコ発射機構造。
【請求項２】
前記共用ストッパー(20)には、円弧状に形成され弾性を有する第１、第２ストッパー部(5,4)が互いに異なる角度位置に設けられていることを特徴とする請求項１記載のパチンコ発射機構造。
【請求項３】
前記共用ストッパー(20)は、前記取付板(1)に設けられたストッパーホルダー(21)に設けられ、前記ストッパーホルダー(21)の長孔(24)に設けられたねじ(23)をゆるめることにより、前記長孔(24)の範囲内で前記共用ストッパー(20)の取付位置が変えられることを特徴とする請求項１又は２記載のパチンコ発射機構造。
【発明の詳細な説明】
【技術分野】
【０００１】
本発明は、パチンコ発射機構造に関し、特に、１個のみの共用ストッパーを用いて球発射時と球発射待機時の槌の動作の停止を行うことにより、発射機構造を大幅に簡略化し、球飛び調整等の自由度を向上させるための新規な改良に関する。
【背景技術】
【０００２】
従来、用いられていたこの種のパチンコ発射機構造としては、例えば、特許文献１及び２に示される構造を挙げることができ、代表的な構造としては図３及び図４に示される通りである。
すなわち、図３及び図４において符号１で示されるものは取付板であり、この取付板１のほぼ中央位置には、軸支部２を介してアーム状をなす槌３が矢印Ａの方向に沿って往復回動可能に設けられている。
【０００３】
前記槌３の下方位置には前記取付板１に設けられた待機時ストッパーとしての第２ストッパー４が位置しており、この第２ストッパー４は前記槌３の後面３ａに当接することにより、前記槌３の球発射待機状態を保つように構成されている。
【０００４】
前記槌３の上方位置には、打球時ストッパーとしての第１ストッパー５が取付板１に設けられており、この第１ストッパー５の上方には傾斜して取付板１に設けられた球発射レール６が位置し、この球発射レール６の下端には、パチンコ球７を受け止めるための球ストッパー８が設けられている。
【０００５】
前述の図３の球発射待機状態において、パチンコ球７が球発射レール６上を滑落し、球ストッパー８によってパチンコ球７が停止している状態下で、槌３が図示しないモータ等のアクチュエータによって回動すると、図４で示されるように、槌３の先端部３ｂが球７を打球し、打球方向Ｂに沿って球７が飛ばされる。
前述の場合、前記槌３は前記第１ストッパー５に当接し、槌３の停止が行われ、球発射後の槌３はその自重によって図３のように元の球発射待機状態となる。
【０００６】
【特許文献１】特開２０００−１５７６６６号公報
【特許文献２】特開２０００−２７９５８２号公報
【発明の開示】
【発明が解決しようとする課題】
【０００７】
従来のパチンコ発射機構造は、以上のように構成されていたため、次のような課題が存在していた。
すなわち、槌による球発射及び球発射待機の姿勢を規制するために、一対の互いに離間した位置のストッパーを必要とし、取付板上の構造を簡略化することができなかった。
また、一対のストッパーを用いるため、槌による球発射状態を調整しようとすると、一対のストッパーの位置を微妙に調整しなければならず、その調整には多大の労力を必要としていた。
【課題を解決するための手段】
【０００８】
本発明によるパチンコ発射機構造は、取付板に回動自在に設けられた槌と、前記槌の下端に延設された延長部と、前記槌の下方位置に設けられた１個のみの共用ストッパーと、前記槌の上方位置に設けられパチンコ球を案内するための球発射レールと、を備え、前記槌により前記パチンコ球を発射した時には前記延長部が前記共用ストッパーに当接し、前記発射後、前記槌が逆方向に回動した時には前記槌の後面が前記共用ストッパーに当接する構成であり、また、前記共用ストッパーには、円弧状に形成され弾性を有する第１、第２ストッパー部が互いに異なる角度位置に設けられている構成であり、また、前記共用ストッパーは、前記取付板に設けられたストッパーホルダーに設けられ、前記ストッパーホルダーの長孔に設けられたねじをゆるめることにより、前記長孔の範囲内で前記共用ストッパーの取付位置が変えられる構成である。
【発明の効果】
【０００９】
本発明によるパチンコ発射機構造は、以上のように構成されているため、次のような効果を得ることができる。
すなわち、槌の下方位置に設けた１個のみの共用ストッパーによって一対のストッパーの作用をなくしているため、ストッパーは１個のみで済むことになり、発射機構造を従来よりも大幅に簡略化し、コストダウンを達成することができる。
また、１個のみの共用ストッパーの位置を長孔を介して調整することができ、発射及び待機の両方の調整を１個の共用ストッパーの位置調整で行うことができる。
【発明を実施するための最良の形態】
【００１０】
本発明は、１個のみの共用ストッパーを用いて球発射時と球発射待機時の槌の動作の停止を行うことにより、発射機構造を大幅に簡略化し、球飛び調整等の自由度を向上させるようにしたパチンコ発射機構造を提供することを目的とする。
【実施例】
【００１１】
以下、図面と共に本発明によるパチンコ発射機構造の好適な実施の形態について説明する。
尚、従来例と同一又は同等部分には同一符号を付して説明する。
図１及び図２において符号１で示されるものは取付板であり、この取付板１のほぼ中央位置には、軸支部２を介してアーム状をなす槌３が矢印Ａの方向に沿って往復回動可能に設けられている。
【００１２】
前記槌３の下方位置には、前記取付板１に設けられ第１、第２ストッパー５、４を有する１個のみの共用ストッパー２０が位置しており、この共用ストッパー２０は取付板１に設けられたストッパーホルダー２１に取付けられている。
【００１３】
前記共用ストッパー２０に設けられた各ストッパー５、４は、いずれもこの共用ストッパー２０の外周に円弧状に互いに異なる角度位置で対称に配設され、かつ、ゴム、熱可塑性エラストマー等の弾性を有する材料で形成されている。
【００１４】
前記ストッパーホルダー２１は、一対のねじ２２、２３により前記取付板１に設けられており、一方のねじ２３は、このストッパーホルダー２１に形成されたストッパーホルダー２１及び共用ストッパー２０の調整機構としての長孔２４を介して取付けられている。
【００１５】
前記槌３は、その端部に延長して形成された延長部３Ａが前記第１ストッパー部５に当接し、前記槌３の後面３ａが前記第２ストッパー部４に当接するように構成されている。
【００１６】
次に、動作について説明する。まず、槌３によるパチンコ球７の発射状態を調整する場合は、各ねじ２２、２３をゆるめ、長孔２４を用いてストッパーホルダー２１を左右にわずかに回動させると、共用ストッパー２０の各ストッパー部５、４の位置を微小調整することができる。
【００１７】
前述の共用ストッパー２０の位置を調整した後、図１の状態のようにパチンコ球７が球発射レール６上を滑落し、球ストッパー８によってパチンコ球７が停止している状態下で、槌３が図示しないモータ等のアクチュエータによって回動すると、図２で示されるように、槌３の先端部３ｂが球７を打球し、打球方向Ｂに沿って球７が飛ばされる。
【００１８】
前述の場合、前記槌３は延長部３Ａが第１ストッパー部５に当接し、槌３の停止が行われ、球発射後の槌３はその自重によって図１のように元の球発射待機状態となる。
従って、前述の槌３による球発射の状態を変更する必要がある場合には、前記各ねじ２２、２３をゆるめ、前述と同様の動作によって共用ストッパー２０の位置を調整して打球の状態を調整することができる。
【図面の簡単な説明】
【００１９】
【図１】本発明によるパチンコ発射機構造を示す正面図である。
【図２】図１の球発射状態を示す正面図である。
【図３】従来構成の正面図である。
【図４】図３の球発射状態を示す正面図である。
【符号の説明】
【００２０】
１    取付板
２    軸支部
３    槌
３ａ    後面
３ｂ    先端部
３Ａ    延長部
４    第２ストッパー部
５    第１ストッパー部
６    球発射レール
７    パチンコ球
８    球ストッパー
２０    共用ストッパー
２１    ストッパーホルダー
２２、２３    ねじ
２４    長孔
【図１】
2008048873.tif 000003
【図２】
2008048873.tif 000004
【図３】
2008048873.tif 000005
【図４】
2008048873.tif 000006